(57)【要約】【課題】従来の小規模建築物の柱一体型杭基礎構造は、円筒形状の埋設部の外周にソイルセメントを充填するだけの構成であるので、埋設部とソイルセメントとの付着力が弱く、引抜力によって埋設部がソイルセメントから抜けてしまう可能性がある。【解決手段】本発明による小規模建築物の柱一体型杭基礎構造は、埋設部１３の外周から突出するように複数の外周突出体１４が埋設部１３に取付けられて、埋設部１３及び外周突出体１４と一体に基礎材１５が固化される構成である。【選択図】図２
2010255320.tif 000002
【特許請求の範囲】
【請求項１】
地面（１０）に掘削された円筒形状の掘削孔（１１）と、
小規模建築物（１２）の柱（１２ａ）の下部に設けられるとともに前記掘削孔（１１）に挿入された埋設部（１３）と、
前記埋設部（１３）の長手方向（１３ａ）に沿って互いに間隔を置いて配置され、前記埋設部（１３）の外周から突出されるように前記埋設部（１３）に取付けられた複数の外周突出体（１４）と、
前記掘削孔（１１）に充填されて前記埋設部（１３）及び前記外周突出体（１４）と一体に固化された円筒形状の基礎材（１５）と
を備えていることを特徴とする小規模建築物の柱一体型杭基礎構造。
【請求項２】
前記外周突出体（１４）は、前記埋設部（１３）の外周を囲むように前記埋設部（１３）に取付けられたＣ字形状のクランプ体（１４ａ）と、前記クランプ体（１４ａ）が前記埋設部（１３）をクランプするように前記クランプ体（１４ａ）の端部間を締結する締結部材（１４ｂ）とから構成されていることを特徴とする請求項１記載の小規模建築物の柱一体型杭基礎構造。
【請求項３】
前記外周突出体（１４）は、前記埋設部（１３）を貫通したスタッドボルト（１４ｃ）と、前記スタッドボルト（１４ｃ）の両端に螺着された一対のナット（１４ｄ）とから構成されていることを特徴とする請求項１記載の小規模建築物の柱一体型杭基礎構造。
【請求項４】
前記基礎材（１５）は、コンクリートのみから構成されていることを特徴とする請求項１から請求項３までのいずれか１項に記載の小規模建築物の柱一体型杭基礎構造。
【発明の詳細な説明】
【技術分野】
【０００１】
本発明は、小規模建築物の柱一体型杭基礎構造に関し、特に、埋設部の外周から突出するように複数の外周突出体が埋設部に取付けられて、埋設部及び外周突出体と一体に基礎材が固化されるように構成することで、埋設部と基礎材との間の付着力を向上でき、引抜力に対してより確実に抵抗できるようにするための新規な改良に関するものである。
【背景技術】
【０００２】
従来用いられていたこの種の柱一体型杭基礎構造としては、例えば特許文献１等に示されている構成が挙げられる。図４は、従来の小規模建築物の柱一体型杭基礎構造を示す正面図である。図において、地面に掘削された掘削孔１１には、農業用パイプハウスの柱１２ａの下部の埋設部１３が挿入されている。また、掘削孔１１には、セメント系固化剤と土壌とを混合したソイルセメント１６が充填されており、このソイルセメント１６が埋設部１３と一体に固化されている。
【先行技術文献】
【特許文献】
【０００３】
【特許文献１】特開平１１−１８７７７３号公報
【発明の概要】
【発明が解決しようとする課題】
【０００４】
上記のような従来の小規模建築物の柱一体型杭基礎構造では、円筒形状の埋設部１３の外周にソイルセメント１６を充填するだけの構成であるので、埋設部１３とソイルセメント１６との付着力が弱く、例えば暴風時や地震時等に柱に作用する引抜力によって埋設部１３がソイルセメント１６から抜けてしまう可能性がある。
【０００５】
本発明は、上記のような課題を解決するためになされたものであり、その目的は、埋設部と基礎材との間の付着力を向上でき、引抜力に対してより確実に抵抗できる小規模建築物の柱一体型杭基礎構造を提供することである。
【課題を解決するための手段】
【０００６】
本発明に係る小規模建築物の柱一体型杭基礎構造は、地面に掘削された円筒形状の掘削孔と、小規模建築物の柱の下部に設けられるとともに前記掘削孔に挿入された埋設部と、前記埋設部の長手方向に沿って互いに間隔を置いて配置され、前記埋設部の外周から突出されるように前記埋設部に取付けられた複数の外周突出体と、前記掘削孔に充填されて前記埋設部及び前記外周突出体と一体に固化された円筒形状の基礎材とを備える。
【０００７】
また、前記外周突出体は、前記埋設部の外周を囲むように前記埋設部に取付けられたＣ字形状のクランプ体と、前記クランプ体が前記埋設部をクランプするように前記クランプ体の端部間を締結する締結部材とから構成されている。
また、前記外周突出体は、前記埋設部を貫通したスタッドボルトと、前記スタッドボルトの両端に螺着された一対のナットとから構成されている。
また、前記基礎材は、コンクリートのみから構成されている。
【発明の効果】
【０００８】
本発明の小規模建築物の柱一体型杭基礎構造によれば、埋設部の外周から突出されるように複数の外周突出体が埋設部に取付けられて、埋設部及び外周突出体と一体に基礎材が固化されるので、埋設部と基礎材との間の付着力を向上でき、引抜力に対してより確実に抵抗できる。
【０００９】
また、外周突出体がクランプ体と締結部材とから構成されるので、埋設部に対する外周突出体の取付けを容易にでき、利便性を向上できる。
また、外周突出体がスタッドボルトと一対のナットとから構成されているので、クランプ体等を使用する場合に比べて、部品コストを低減できる。
また、基礎材がコンクリートのみから構成されているので、ソイルセメントを使用する場合に比べて埋設部と基礎材との間の付着力を向上でき、より確実に引抜力に対して抵抗できる。
【図面の簡単な説明】
【００１０】
【図１】本発明の実施の形態１による小規模建築物の柱一体型杭基礎構造を示す正面図である。
【図２】図１の埋設部周辺を拡大して示す正面図である。
【図３】本発明の実施の形態２による小規模建築物の柱一体型杭基礎構造を示す正面図である。
【図４】従来の小規模建築物の柱一体型杭基礎構造を示す正面図である。
【発明を実施するための形態】
【００１１】
以下、本発明を実施するための最良の形態について、図面を参照して説明する。
実施の形態１．
図１は、本発明の実施の形態１による小規模建築物の柱一体型杭基礎構造を示す正面図であり、図２の埋設部周辺を拡大して示す正面図である。図１において、地面１０には、例えばアースオーガ等によって円筒形状の掘削孔１１が掘削されている。この掘削孔１１には、小規模建築物１２の柱１２ａの下部に設けられた埋設部１３が挿入されている。なお、図１では、小規模建築物１２として農業用パイプハウスを示しているが、小規模建築物としては畜舎や堆肥舎等でもよい。
【００１２】
図２に示すように、埋設部１３には、埋設部１３の外周から突出されるように複数の外周突出体１４が取付けられている。外周突出体１４は、埋設部１３の長手方向１３ａに沿って互いに間隔を置いて配置されている。この実施の形態１では、外周突出体１４は、クランプ体１４ａと締結部材１４ｂとから構成されている。クランプ体１４ａは、Ｃ字形状の部材であり、埋設部１３の外周を囲むように埋設部１３に取付けられている。締結部材１４ｂは、例えば有頭ボルト及びナット等から構成されており、クランプ体１４ａが埋設部１３をクランプするように、クランプ体１４ａの端部間を締結するためのものである。
【００１３】
掘削孔１１には、土壌が混合されていないコンクリートのみからなる基礎材１５が充填されており、基礎材１５は、埋設部１３及び外周突出体１４と一体に固化されている。外周突出体１４は、掘削孔１１を上方から見たときに基礎材１５と重なるように配置されており、埋設部１３の長手方向１３ａに関して外周突出体１４が基礎材１５に係合されている。
【００１４】
このような小規模建築物の柱一体型杭基礎構造では、埋設部１３の外周から突出されるように複数の外周突出体１４が埋設部１３に取付けられて、埋設部１３及び外周突出体１４と一体に基礎材１５が固化されるので、外周突出体１４を介して埋設部１３と基礎材１５とがより確実に一体化される。これにより、埋設部１３と基礎材１５との間の付着力を向上でき、例えば暴風時や地震時等に柱に作用する引抜力に対してより確実に引抜力に対して抵抗できる。
【００１５】
また、外周突出体１４がクランプ体１４ａと締結部材１４ｂとから構成されるので、埋設部１３に対する外周突出体１４の取付けを容易にでき、利便性を向上できる。
【００１６】
また、基礎材１５がコンクリートのみから構成されているので、ソイルセメントを使用する場合に比べて埋設部１３と基礎材１５との間の付着力を向上でき、より確実に引抜力に対して抵抗できる。また、ソイルセメントを使用する場合、基礎構造の耐力計算を行うことが難しいので、耐力計算が必要とされる例えば畜舎や堆肥舎等の建築物に適用できないが、この実施の形態のように基礎材１５をコンクリートのみから構成することで、畜舎等の小規模建築物にも適用できる。
【００１７】
実施の形態２．
図３は、本発明の実施の形態２による小規模建築物の柱一体型杭基礎構造を示す正面図である。実施の形態１では、外周突出体１４がクランプ体１４ａと締結部材１４ｂとから構成されると説明したが、この実施の形態２の外周突出体１４は、スタッドボルト１４ｃと一対のナット１４ｄとから構成されている。スタッドボルト１４ｃは、ネジ頭がなく、両端又は全体にネジが切られたボルトである。このスタッドボルト１４ｃは埋設部１３を貫通しており、スタッドボルト１４ｃの両端は埋設部１３の外周から突出されている。ナット１４ｄは、スタッドボルト１４ｃの両端に螺着しており、スタッドボルト１４ｃを埋設部１３に固定している。その他の構成は、実施の形態１と同様である。
【００１８】
このような小規模建築物の柱一体型杭基礎構造では、外周突出体１４がスタッドボルト１４ｃと一対のナット１４ｄとから構成されているので、実施の形態１のようにクランプ体１４ａ等を使用する場合に比べて、部品コストを低減できる。
【符号の説明】
【００１９】
１０  地面
１１  掘削孔
１２  小規模建築物
１２ａ  柱
１３  埋設部
１４  外周突出体
１４ａ  クランプ体
１４ｂ  締結部材
１４ｃ  スタッドボルト
１４ｄ  ナット
１５  基礎材
【図１】
2010255320.tif 000003
【図２】
2010255320.tif 000004
【図３】
2010255320.tif 000005
【図４】
2010255320.tif 000006